(57)【要約】      （修正有）【課題】マルチコネクタ相互接続システムを提供する。【解決手段】重要機能回路カード・アセンブリを収容するケース１０２を含む列線交換ユニット１００に関する。少なくとも１つの重要機能回路カード・アセンブリをケース１０２に収容する。重要機能ＣＣＡ１０４は、連絡壁付近に取り付けられる入出力コネクタ１０６およびバックプレーン・コネクタ１０８を含む。列線交換ユニット１００は、少なくとも１つの重要機能ＣＣＡ１０４の各バックプレーン・コネクタ１０８に動作可能なように接続されるバックプレーンＣＣＡ１１０を含む。バックプレーンＣＣＡ１１０は、複数の重要機能ＣＣＡ１０４間の有効な通信を実現するように構成されかつ適合される。重要機能ＣＣＡ１０４は、ケース１０２に連絡壁およびバックプレーン壁付近に取り付け、バックプレーンＣＣＡ１１０により提供される接続を除いて互いから機械的および電気的に隔離することができる。【選択図】図２
2014067996.tif 000002
【特許請求の範囲】
【請求項１】
列線交換ユニットのための回路カード・アセンブリであって、
ａ）機上搭載電子機器を含む重要機能回路カード・アセンブリ本体と、
ｂ）前記機上搭載電子機器と電気的に交信する前記重要機能回路カード・アセンブリ本体に取り付けられる少なくとも１つの入出力コネクタと、
ｃ）前記機上搭載電子機器と電気的に交信する前記重要機能回路カード・アセンブリ本体に取り付けられる少なくとも１つのバックプレーン・コネクタであって、複数の重要機能回路カード・アセンブリ間の通信のために前記機上搭載電子機器をバックプレーン回路カード・アセンブリに電気的に接続するように構成されかつ適合される、少なくとも１つのバックプレーン・コネクタと
を含む回路カード・アセンブリ。
【請求項２】
前記機上搭載電子機器および前記入出力コネクタが、ＡＲＩＮＩＣトレイ・ハーネスを受け入れるように構成されかつ適合されるＡＲＩＮＩＣコネクタ経由で航空機航空電子機器入出力列線に直接接続するように構成されかつ適合される請求項１に記載の回路カード・アセンブリ。
【請求項３】
前記重要機能回路カード・アセンブリ本体がほぼ平面であってカードプレーンを画定することと、
前記入出力コネクタが複数の重要機能回路カード・アセンブリを互いに平行なそれぞれのカードプレーンに密接させて収容する前記カードプレーンに整列される縦方向の長さを有することと
を含む請求項１に記載の回路カード・アセンブリ。
【請求項４】
前記入出力コネクタがｄコネクタであることを含む請求項３に記載の回路カード・アセンブリ。
【請求項５】
前記機上搭載電子機器が航空機の制御および監視システムの少なくとも１つを提供するように構成されかつ適合される請求項１に記載の回路カード・アセンブリ。
【請求項６】
前記入出力コネクタおよび前記バックプレーン・コネクタが反対方向に整列される請求項１に記載の回路カード・アセンブリ。
【請求項７】
列線交換ユニットであって、
ａ）重要機能回路カード・アセンブリを収容し、かつ、バックプレーン壁および反対側の連絡壁を含む内部コンパートメントを画定する列線交換ユニット・ケースと、
ｂ）前記列線交換ユニット・ケース内に収容される少なくとも１つの重要機能回路カード・アセンブリであって、前記連絡壁付近に取り付けられる入出力コネクタおよびバックプレーン・コネクタを含む、重要機能回路カード・アセンブリと、
ｃ）前記少なくとも１つの重要機能回路カード・アセンブリの各バックプレーン・コネクタに動作可能なように接続されるバックプレーン回路カード・アセンブリであって、複数の重要機能回路カード・アセンブリ間の有効な通信を提供するように構成されかつ適合される、バックプレーン回路カード・アセンブリと
を含む列線交換ユニット。
【請求項８】
前記少なくとも１つの重要機能回路カード・アセンブリの各入出力コネクタに動作可能なように直接接続されるＡＲＩＮＣコネクタをさらに含む列線交換ユニットであって、前記ＡＲＩＮＣコネクタは、入出力列線を前記少なくとも１つの重要機能回路カード・アセンブリに接続するＡＲＩＮＣトレイ・ハーネスを受け入れるように構成されかつ適合される請求項７に記載の列線交換ユニット。
【請求項９】
各重要機能回路カード・アセンブリがほぼ平坦であってカードプレーンを画定することと、
各重要機能回路カード・アセンブリの前記入出力コネクタが前記カードプレーンに整列される縦方向の長さを有しており、それにより複数の重要機能回路カード・アセンブリを互いに平行なそれぞれのカードプレーンに密接させて収容することができることと
を含む請求項７に記載の列線交換ユニット。
【請求項１０】
前記入出力コネクタがｄコネクタである請求項９に記載の列線交換ユニット。
【請求項１１】
前記少なくとも１つの重要機能回路カード・アセンブリが、少なくとも１つの航空機制御および監視システムを提供するように構成されかつ適合されている機上搭載電子機器を含む請求項７に記載の列線交換ユニット。
【請求項１２】
少なくとも２つの重要機能回路カード・アセンブリを備えることと、
前記重要機能回路カード・アセンブリ群が前記連絡壁および前記バックプレーン壁の近傍の前記列線交換ユニット・ケースに取り付けられており、前記バックプレーン回路カード・アセンブリにより提供される接続を除いて互いから機械的および電気的に隔離されることと
を含む請求項７に記載の列線交換ユニット。
【請求項１３】
各重要機能回路カード・アセンブリの前記入出力コネクタおよび前記バックプレーン・コネクタが反対方向に整列される請求項７に記載の列線交換ユニット。
【請求項１４】
前記少なくとも１つの重要機能回路カード・アセンブリが第１および第２燃料レベル監視回路カード・アセンブリを含み、第１および第２燃料レベル監視回路カード・アセンブリは、互いの干渉を回避するために、互いから電気機械的に隔離され、前記バックプレーン回路カード・アセンブリ経由のみで動作可能なように接続される請求項７に記載の列線交換ユニット。
【請求項１５】
列線交換ユニットのための回路カード・アセンブリであって、
ａ）機上搭載電子機器を含む重要機能回路カード・アセンブリ本体と、
ｂ）前記機上搭載電子機器と電気的に交信する前記重要機能回路カード・アセンブリ本体に取り付けられる少なくとも１つの入出力コネクタと、
ｃ）前記機上搭載電子機器と電気的に交信する前記重要機能回路カード・アセンブリ本体に取り付けられる少なくとも１つのバックプレーン・コネクタであって、複数の重要機能回路カード・アセンブリ間の通信のために前記機上搭載電子機器をバックプレーン・アセンブリに電気的に接続するように構成されかつ適合される、少なくとも１つのバックプレーン・コネクタと
を含む回路カード・アセンブリ。
【発明の詳細な説明】
【技術分野】
【０００１】
本発明は、列線交換ユニットに関し、とくに列線交換ユニットの相互接続システムに関する。
【背景技術】
【０００２】
列線交換ユニット（ＬＲＵ）を他のシステムに接続する技術においては、種々の機器およびシステムが知られている。たとえば、航空機搭載のＬＲＵは、航空機の種々の態様の制御および監視のための航空電子工学機器に接続する。典型的なＬＲＵは、容易なＬＲＵの交換または性能向上を目的として周囲システム、たとえば、航空電子工学機器と迅速に接続および切断するために設計される。
【発明の概要】
【発明が解決しようとする課題】
【０００３】
このような従来の方法およびシステムは、それらの所期目的にとって一般的に十分であると考えられている。しかしながら、この技術は、依然、融通性および信頼性の向上さらにはコスト低減を含めてＬＲＵの操作性の改良を可能にするシステムおよび方法を必要としている。この技術においては、製造および使用の容易なシステムおよび方法の必要性も残っている。本発明は、これらの課題に対する解決策を提供する。
【課題を解決するための手段】
【０００４】
本発明は、重要な機能回路カード・アセンブリを収容し、かつ、バックプレーン壁および反対側の連絡壁を含む内部コンパートメントを画定するＬＲＵケースを含む新しい有益な列線交換ユニット（ＬＲＵ）を指向している。少なくとも１つの重要な機能回路カード・アセンブリ（ＣＣＡ）をＬＲＵケースに収容する。重要機能ＣＣＡは、連絡壁付近に実装される入出力コネクタおよびバックプレーン・コネクタを含む。ＬＲＵは、少なくとも１つの重要機能ＣＣＡの各バックプレーン・コネクタに動作可能に接続されているバックプレーンＣＣＡを含む。バックプレーンＣＣＡは、複数の重要機能ＣＣＡ間の作業通信を提供するように構成されかつ適合される。
【０００５】
本発明の１つの実施態様によれば、前述のＬＲＵ用の回路カード・アセンブリは、機上電子機器を有する重要機能ＣＣＡ本体を含む。たとえば、これらの機上電子機器は、航空機システム等の制御および監視を行うように構成されかつ適合することができる。入出力コネクタは、機上電子機器と電気的に連絡する重要機能ＣＣＡ本体に取り付けられる。バックプレーン・コネクタは、機上電子機器と電気的に連絡する重要機能ＣＣＡ本体に取り付けられる。少なくとも１つのバックプレーン・コネクタは、複数の重要機能ＣＣＡ間の通信のために機上電子機器を前述のバックプレーンＣＣＡに電気的に接続するように構成されかつ適合される。
【０００６】
ある実施形態においては、機上電子機器および入出力コネクタは、ＡＲＩＮＣトレイ／コネクタ経由で航空機電子工学機器入出力列線に動作可能なように直接接続するように構成されかつ適合される。かかるＡＲＩＮＣトレイ／コネクタは、次に、入出力列線を重要機能ＣＣＡに接続するＡＲＩＮＣトレイ・ハーネスを受け取るように構成されかつ適合される。
【０００７】
別の実施態様において、重要機能回路カード・アセンブリ本体は、一般的に平面形状であり、カードプレーンを画定する。入出力コネクタは、複数の重要機能回路カード・アセンブリを互いに平行なそれぞれのカードプレーンに密接させて収容するカードプレーンに整列される縦方向の長さを有する。入出力コネクタは、ｄコネクタまたはその他の適切な種類のコネクタとすることができる。入出力コネクタとバックプレーン・コネクタは、互いに逆方向に整列させることができる。
【０００８】
ある実施形態においては、少なくとも２つの重要機能回路カード・アセンブリを使用する。これらの重要機能回路カード・アセンブリは、連絡壁およびバックプレーン壁近くの列線交換ユニット・ケースに取り付けられ、バックプレーンＣＣＡにより提供される接続を除き、相互から機械的および電気的に隔離される。これらの重要機能ＣＣＡは、相互から電気機械的に隔離されている第１および第２燃料レベル監視ＣＣＡを含むことができる。燃料レベル監視ＣＣＡ同士は、互いの干渉を回避するために、バックプレーンＣＣＡ経由のみで動作可能なように接続される。
【０００９】
本発明のシステムおよび方法のこれらおよびその他の特徴は、好ましい実施形態に関する以下の詳細記述および添付図面から当業者にとってより容易に明白となるであろう。
【００１０】
本発明の関係する技術における当業者が、主題発明の機器および方法の製造方法および使用方法について過度の説明なしに容易に理解できるように、その好ましい実施形態について以下の本出願における特定の図面を参照しつつ詳しく説明する。
【図面の簡単な説明】
【００１１】
【図１】図１は、従来技術による典型的列線交換ユニット（ＬＲＵ）の略図であり、２つの相互接続ＣＣＡによりＡＲＩＮＣコネクタに接続する各重要機能回路カード・アセンブリ（ＣＣＡ）を示している。
【図２】図２は、本発明に従って構築されたＬＲＵの典型的な実施形態の略図であり、航空電子機器との直接接続のための高耐久性ｄコネクタを有する重要機能ＣＣＡおよび重要機能ＣＣＡの反対端にあるバックプレーンＣＣＡを示している。
【図３】図３は、本発明に従って構築されたＬＲＵの別の典型的な実施形態の一部の斜視略図であり、バックプレーンＣＣＡに接続されている６つの重要機能ＣＣＡを示している。
【図４】図４は、図３のバックプレーンＣＣＡの平面略図であり、重要機能ＣＣＡの取り付けのためのコネクタを示している。
【図５】図５は、本発明に従って構築されたＬＲＵの別の典型的な実施形態の斜視図であり、ｄコネクタ・インターフェースを示している。
【図６】図６は、図５のＬＲＵのバックプレーン立面図であり、バックプレーンＣＣＡを取り除いた重要機能ＣＣＡを示している。
【図７】図７は、図５のＬＲＵの斜視図であり、ＬＲＵの中に取り付けられたバックプレーンＣＣＡを示している。
【図８】図８は、図５のＬＲＵとともに使用される重要機能ＣＣＡの平面図であり、左側にｄコネクタおよび右側にバックプレーン・コネクタを示している。
【図９】図９は、図５のＬＲＵとともに使用されるＡＲＩＮＣトレイ・インターフェースの斜視図であり、複数の重要機能ＣＣＡのｄコネクタに接続する航空電子機器インターフェース・コネクタを示している。
【図１０】図１０は、図５のＬＲＵとともに使用されるＡＲＩＮＣトレイ・ハーネスの斜視図であり、ＬＲＵとの接続のためのハーネス化された航空電子機器入出力列線を示している。
【図１１】図１１は、ＡＲＩＮＣトレイ・インターフェースおよび図５のＬＲＵの斜視図であり、ＬＲＵにおいてｄコネクタと結合されるときのＡＲＩＮＣトレイ・インターフェースの整列を示している。
【発明を実施するための形態】
【００１２】
これから参照する図面では、同様な参照番号は、本発明の同様な構造的特徴または態様を指示する。限定するためではなく、説明および図示の目的のために、本発明による列線交換ユニット（ＬＲＵ）の典型的な実施形態の部分図を図２に示し、全体として参照番号１００により示す。これから説明する本発明によるＬＲＵのその他の実施形態またはそれらの態様を図３〜図１１に示す。本発明のシステムおよび方法は、ＬＲＵ構成における融通性および適合性を改善するとともに信頼性を向上するために使用することができる。
【００１３】
図１を参照する。一例として航空機航空電子機器のための典型的ＬＲＵは、航空機の種々の態様を監視および／または制御する回路を含む複数の重要機能回路カード・アセンブリ（ＣＣＡ）１２を収容するケース１０を含んでいる。航空機システムからの種々の航空電子機器入出力列線は、ＡＲＩＮＣコネクタ１４、たとえばＡＲＩＮＣ６００経由でＬＲＵに接続する。ＡＲＩＮＣコネクタ１４は、ＡＲＩＮＣコネクタ１４からの種々の接続を第２相互接続ＣＣＡ１８に差し向ける第１相互接続ＣＣＡ１６に接続される。第２相互接続ＣＣＡ１８は、第１相互接続ＣＣＡからの接続をそれぞれの重要機能ＣＣＡ１２に差し向ける。
【００１４】
図２を参照する。本発明に従って構築されるＬＲＵ１００は、相互接続ＣＣＡを削除する。ＬＲＵ１００は、４つの重要機能ＣＣＡ１０４を収容する内部コンパートメントを有するケース１０２を含んでいる。各重要機能ＣＣＡ１０４は、航空機からの航空電子機器入出力列線とそれぞれの重要機能ＣＣＡ１０４に搭載されている電子機器間の直接電気接続のためのそれ自身の入出力ｄコネクタ１０６を含んでいる。たとえば、これらの搭載電子機器は、航空機システム等の制御および監視を行うように構成されかつ適合することができる。各重要機能ＣＣＡ１０４上のｄコネクタ１０６に向かい合って、バックプレーン・コネクタ１０８が実装されている。このコネクタもそれぞれの重要機能ＣＣＡ１０４の搭載電子機器と電気的に接続されている。
【００１５】
入出力コネクタおよびバックプレーン・コネクタは、互いに反対方向に整列されているが、しかし、当業者は、本発明の精神および範囲から逸脱することなく、バックプレーン・コネクタ１０８がカード本体のエッジ上に入出力コネクタの方向から９０°の向きまたはその他の適切な向きまたは位置に配置できることを容易に理解するであろう。バックプレーンＣＣＡ１１０は、バックプレーン・コネクタ１０８を受けるコネクタおよび重要機能ＣＣＡ１０４相互間を連絡する関連搭載電子機器を備えている。ケース１０２は、ｄコネクタ１０６の搭載される連絡壁およびバックプレーンＣＣＡ１１０近傍の反対側バックプレーン壁を含んでいる。重要機能ＣＣＡ１０４は、連絡壁近傍かつバックプレーン壁近傍のＬＲＵケース１０２に取り付けられ、バックプレーンＣＣＡ１１０により与えられる接続を除いて互いに機械的および電気的に隔離される。それぞれの重要機能ＣＣＡ１０４およびｄコネクタ１０６は、相互に隔離される。
【００１６】
次に図３を参照する。別の典型的なＬＲＵ１５０が示されているが、ここではケース１５２が除去されてＣＣＡの内部構造が現れている。この典型的な実施形態は、３つの重要機能ＣＣＡを含んでおり、それらのそれぞれが２つのコネクタを備えているので、連絡端に合計６つの高耐久性ｄコネクタが存在する。図４は、バックプレーンＣＣＡ１６０上の６つのコネクタ１６２を示しており、これらは、重要機能ＣＣＡ１６４のそれぞれのバックプレーン・コネクタ１６８を受け入れる。図４の垂直線は、同一ＣＣＡ上の諸機能間の物理的分離を描いている。これらの機能は、独立専用ｄコネクタ１６２経由で交信する。当業者は、垂直分離が例示的であること、およびこの開示の範囲から逸脱することなく、適切な応用ではバックプレーン上の垂直線分離が不要であることを容易に理解するであろう。
【００１７】
次に図５〜図８を参照する。例示実施形態のＬＲＵ２００が示されている。これは、上述のＬＲＵ１５０によく似ているが、しかし４つの重要機能ＣＣＡ２０４を備えており、それらのそれぞれが２つのｄコネクタ２０６および２つのバックプレーン・コネクタ２０８を使用している。図５は、８個のｄコネクタ２０６を有する連絡壁を示し、図７は、ＬＲＵ２００の連絡壁側の反対側のＬＲＵにバックプレーンＣＣＡが取り付けられた状況を示している。図６では、バックプレーン壁およびバックプレーンＣＣＡは取り除かれており、４つの重要機能ＣＣＡ２０４の８つのバックプレーン・コネクタ２０８が現れている。図８では、１つの重要機能ＣＣＡがコネクタ２０６と２０８の間のカード本体上の搭載電子機器とともに示されている。
【００１８】
引き続き図８を参照する。重要機能ＣＣＡ２０４は、ほぼ平坦であってカードプレーンを画定している本体を備えている。入出力コネクタのそれぞれ、すなわちｄコネクタ２０６は、複数の重要機能ＣＣＡを互いに平行なそれぞれのカードプレーンに密接させて収容するカードプレーンに整列される縦方向の長さを有する。換言すると、重要機能ＣＣＡのコネクタは、その小型化を狙ってかなり幾何学的に平坦であるために、数個の重要機能ＣＣＡがかなり小型のＬＲＵケース内に収まり得る。当業者は、ｄコネクタが単なる例示であること、および本発明の精神および範囲から逸脱することなく入出力コネクタをその他の適切な幾何学的形状または種類のものとなし得ることを容易に理解するであろう。さらに、この出願においては特定の個数のコネクタを用いて記述したが、当業者は、本発明の範囲から逸脱することなく適切な個数のコネクタを使用できることを容易に理解するであろう。
【００１９】
次に図９〜図１１を参照する。本発明に従って構築されたＬＲＵは、任意選択によりＡＲＩＮＣインターフェースを使用してまたは使用せずに航空電子機器システムに接続することができる。図９は、ＬＲＵ２００のケースに取り付けることができるＡＲＩＮＣトレイ・インターフェース２１４および図５に示したＬＲＵ２００の連絡壁において重要機能ＣＣＡの８つのｄコネクタに直接結合する８つのコネクタを示す。図１０は、単一のＡＲＩＮＣトレイ・ハーネス２１６にハーネス化された航空電子機器入出力列線を示す。これらの列線は、すべて、単一のユニットとしてＡＲＩＮＣトレイ・インターフェース２１４にプラグインできる。図１１には、ＬＲＵ２００のケースから部分的に引き離されたＡＲＩＮＣトレイ・インターフェース２１４が重要機能ＣＣＡの８個のｄコネクタと整列されている８個のＡＲＩＮＣコネクタとともに示されている。ＡＲＩＮＣトレイ・インターフェースは任意選択により省略することもできるが、その場合、航空電子機器ワイヤ・ハーネスは、ｄコネクタに直接接続できる。任意選択により、ワイヤ・ハーネス自身を省略することもできる。
【００２０】
限定するのではなく、説明の目的のために示す１つの例として、本出願において記述されるＬＲＵ構成は、燃料レベル監視システム、すなわち、燃料レベル検知制御装置「ＦＬＳＣＵ」のためのＣＣＡおよび関連重要機能ＣＣＡを収容する航空電子機器ＬＲＵの信頼性および安全性を改善することができる。図１に示した従来のＬＲＵ構成においては、複数のＣＣＡが航空機搭載の別個のそれぞれの燃料レベル監視システムのために専用される可能性がある。燃料レベル監視システムの入出力列線は重要機能ＣＣＡに到達するために２個の相互接続ＣＣＡを経由して接続しなければならないので、ＣＣＡ同士が効果的に相互に隔離されないリスクが増大する。たとえば、図１の従来のＬＲＵでは、相互接続ＣＣＡがＦＬＳＣＵ間の漏話または他の非燃料関連重要機能ＣＣＡとの漏話さえ引き起こす可能性がある。この誤動作または類似の誤動作がＦＬＳＣＵの機能不全に通ずるおそれがある。対照的に、図２〜図１１に示すＬＲＵシステムは、重要機能ＣＣＡ相互間の電気機械的隔離を提供する。なぜならば、ＣＣＡ同士は、相互の干渉を回避するために、バックプレーンＣＣＡ経由のみで動作可能なように接続されるからである。
【００２１】
さらに、相互接続ＣＣＡは、図２〜図１１に示すＬＲＵの連絡壁近傍には存在しないので、個々の重要機能ＣＣＡの取り外しは、より容易である。ＣＣＡの交換または性能向上は、バックプレーンＣＣＡへの接続を要するのみである。性能の向上または変更を容易にするために、融通性の高い通信プロトコルを提供するようにバックプレーンＣＣＡを構成し、それにより交換／アップグレードＣＣＡがＬＲＵ中の他のＣＣＡと効果的に交信できるようにすることが可能である。バックプレーンＣＣＡは、データ・バスと電力バスの両方の機能を提供することができる。したがって、新しい重要機能ＣＣＡが必要になった場合にも、ＬＲＵの再設計は不要である。したがって、これらの構成は、安全性および信頼性を強化するのみならず、重要機能ＣＣＡの交換および性能向上の融通性および能力を著しく高める。本発明によるＬＲＵは、従来のＬＲＵに比し、単純化され、それによりコストおよび重量の低減と信頼性の向上をもたらす。相互接続ＣＣＡの個数低減は、コストを有利に低減する。
【００２２】
本出願においては、バックプレーン・アセンブリは、バックプレーンＣＣＡ、たとえばバックプレーンＣＣＡ  １１０として図示・説明したが、当業者は、この開示の範囲から逸脱することなくその他の適切な種類のバックプレーン・アセンブリが使用できることを容易に理解するであろう。たとえば、各端にコネクタを有するリボン・ケーブルをバックプレーン・アセンブリとして使用することができる。
【００２３】
当業者は、燃料レベル監視が例示的応用であること、および本発明によるＬＲＵシステムが任意の適切な航空電子機器システムのために利用され得ることを容易に理解するであろう。さらに、当業者は、航空電子機器が例示的応用であること、および本出願の精神および範囲から逸脱することなく本出願において記述されたＬＲＵシステムが任意の適切な応用において利用され得ることを容易に理解するであろう。
【００２４】
上述し、図面において示した本発明の方法およびシステムは、安全性および信頼性の向上ならびに融通性および能力の拡大を含む優れた特徴を有するＬＲＵを提供する。主題発明の装置および方法について好ましい実施形態に関連して図示しかつ記述したが、当業者は、主題発明の精神および範囲から逸脱することなく、それに対する変更および／または修正がなされ得ることを容易に理解するであろう。
【符号の説明】
【００２５】
１０  ケース
１２  重要機能回路カード・アセンブリ（ＣＣＡ）
１４  コネクタ
１６  第１相互接続ＣＣＡ
１８  第２相互接続ＣＣＡ
１００  列線交換ユニット（ＬＲＵ）
１０２  ケース
１０４  重要機能ＣＣＡ
１０６  入出力ｄコネクタ
１０８  バックプレーン・コネクタ
１１０  バックプレーンＣＣＡ
１５０  列線交換ユニット（ＬＲＵ）
１５２  ケース
１６０  バックプレーンＣＣＡ
１６２  コネクタ
１６８  バックプレーン・コネクタ
２００  列線交換ユニット（ＬＲＵ）
２０４  重要機能ＣＣＡ
２０６  ｄコネクタ
２０８  バックプレーン・コネクタ
２１４  インターフェース
２１６  ハーネス
【図１】
2014067996.tif 000003
【図２】
2014067996.tif 000004
【図３】
2014067996.tif 000005
【図４】
2014067996.tif 000006
【図５】
2014067996.tif 000007
【図６】
2014067996.tif 000008
【図７】
2014067996.tif 000009
【図８】
2014067996.tif 000010
【図９】
2014067996.tif 000011
【図１０】
2014067996.tif 000012
【図１１】
2014067996.tif 000013
【外国語明細書】
2014067996000001.pdf